(57)【要約】【課題】  本願発明は、防水性に優れた防犯レンズを提供することを目的とする。【解決手段】  防犯レンズＡは、ダブルドアのドア板３、４に形成された取付孔３０、４０を介して螺合される第１の筒状体（内筒１）及び第２の筒状体（外筒２）と、前記内筒１に収容されるレンズ１２０、１２１及び１２２を備えると共に、前記内筒１の室外側に設けられた室外側フランジ部１０と、この室外側フランジ部１０に形成された凹部１２と、この凹部１２の略中央に形成され、且つ、前記レンズ１２０が臨まれる筒口１１と、筒口１１に対応する孔５０が形成され、且つ、凹部１２に収容される黒フィルム５と、この黒フィルム５の室外側に配置され、且つ、前記凹部１２に取付けられる広角レンズ１２３と、この広角レンズ１２３を前記凹部１２間で欽締するキャップ１８を備えている。【選択図】        図１
2006209071.tif 000002
【特許請求の範囲】
【請求項１】
ドアに設けられた取付孔を介して取付けられる第１の筒状体及び第２の筒状体と、第１の筒状体に配置されるレンズ系と、ドアの室外側に臨む第１の筒状体の室外側フランジ部に取付けられたレンズ固定用のキャップとからなる防犯レンズにおいて、
前記キャップと前記室外側フランジ部間に、少なくとも１枚のリング状のフィルムを介在させたことを特徴とする防犯レンズ。
【請求項２】
前記フィルムは黒色であることを特徴とする請求項１に記載の防犯レンズ。
【請求項３】
前記フィルムは耐水性を備えていることを特徴とする請求項１又は２に記載の防犯レンズ。
【請求項４】
ドアに設けられた取付孔を介して取付けられる第１の筒状体及び第２の筒状体と、第１の筒状体に配置されるレンズ系とからなる防犯レンズにおいて、
ドアの室外側に臨む第１の筒状体の室外側フランジ部とこの室外側フランジ部に配置されるレンズ間に、少なくとも１枚のリング状のフィルムを介在させたことを特徴とする防犯レンズ。
【請求項５】
ドアに設けられた取付孔を介して取付けられる第１の筒状体及び第２の筒状体と、第１の筒状体に配置されるレンズ系と、ドアの室外側に臨む第１の筒状体の室外側フランジ部に取付けられたレンズ固定用のキャップとからなる防犯レンズにおいて、
前記キャップと前記室外側フランジ部間に、少なくとも１枚のリング状の弾性シーリング材を介在させたことを特徴とする防犯レンズ。
【請求項６】
ドアに設けられた取付孔を介して取付けられる第１の筒状体及び第２の筒状体と、第１の筒状体に配置されるレンズ系とからなる防犯レンズにおいて、
ドアの室外側に臨む第１の筒状体の室外側フランジ部とこの室外側フランジ部に配置されるレンズ間に、少なくとも１枚のリング状の弾性シーリング材を介在させたことを特徴とする防犯レンズ。
【発明の詳細な説明】
【技術分野】
【０００１】
本発明は、室内から外部の様子を広範囲にわたって観察することができる防犯レンズ関し、特に防水機能を備えた防犯レンズに関する。
【背景技術】
【０００２】
ドアを施錠したまま、室内から訪問者の様子を観察できる防犯レンズは、今日の防犯意識の高まりと共に、その重要性を増している。
【０００３】
現在、出願人が製造及び販売している防犯レンズは、概ね次のような構成となっている。
即ち、ドアに設けられた取付孔を介して螺合される第１の筒状体及び第２の筒状体と、第１の筒状体に収容されたレンズ系と、このレンズ系を構成する広角レンズの脱落を防止するキャップとから構成されている（特許文献１）。
この広角レンズの出射面側には黒墨が塗られており、この黒墨は広角レンズからの入射光が乱反射することを防止したりするもので、墨を施す出射面の所定領域を研磨等することで凹凸を形成し、その研磨面に墨が塗布されていた（特許文献１の段落００２３）。
【特許文献１】特開２０００−２９７５８３
【発明の開示】
【発明が解決しようとする課題】
【０００４】
しかし、このような黒墨は水により色落ちし易く、キャップの隙間から雨水等が浸入した場合に、その雨水により黒色が褪せて白色になったりする場合があった。
また、墨を塗布する前に広角レンズの出射面に凹凸を形成する手間が必要であった。
さらに、雨水等の浸入を放置すると、レンズ系が曇る恐れがあった。
そこで、本願発明は、黒墨に代わる構成を新しく提供すると共に、防水性に優れた防犯レンズを提供することを目的とする。
【課題を解決するための手段】
【０００５】
この目的を達成するため、ドアに設けられた取付孔を介して取付けられる第１の筒状体及び第２の筒状体と、第１の筒状体に配置されるレンズ系と、ドアの室外側に臨む第１の筒状体の室外側フランジ部に取付けられたレンズ固定用のキャップとからなる防犯レンズにおいて、前記キャップと前記室外側フランジ部間に、少なくとも１枚のリング状のフィルムを介在させたことを特徴とする防犯レンズとした（請求項１に記載の発明）。
この構成において、室外側フランジ部とキャップが接する部分又は室外側フランジ部とレンズが接する部分をシーリングしてもよい。
また、ドアに設けられた取付孔を介して取付けられる第１の筒状体及び第２の筒状体と、第１の筒状体に配置されるレンズ系とからなる防犯レンズにおいて、ドアの室外側に臨む第１の筒状体の室外側フランジ部とこの室外側フランジ部に配置されるレンズ間に、少なくとも１枚のリング状のフィルムを介在させたことを特徴とする防犯レンズとした（請求項４に記載の発明）。
この防犯レンズにおいても、室外側フランジ部とレンズが接する部分をシーリングしてもよい。
【０００６】
上記発明において、前記フィルムは黒色であることを特徴とする防犯レンズとした（請求項２に記載の発明）。
【０００７】
上記発明において、前記フィルムは耐水性を備えていることを特徴とする防犯レンズとした（請求項３に記載の発明）。
【０００８】
上記目的を達成するため、ドアに設けられた取付孔を介して取付けられる第１の筒状体及び第２の筒状体と、第１の筒状体に配置されるレンズ系と、ドアの室外側に臨む第１の筒状体の室外側フランジ部に取付けられたレンズ固定用のキャップとからなる防犯レンズにおいて、前記キャップと前記室外側フランジ部間に、少なくとも１枚のリング状の弾性シーリング材を介在させたことを特徴とする防犯レンズとした（請求項５に記載の発明）。
【０００９】
またドアに設けられた取付孔を介して取付けられる第１の筒状体及び第２の筒状体と、第１の筒状体に配置されるレンズ系とからなる防犯レンズにおいて、ドアの室外側に臨む第１の筒状体の室外側フランジ部とこの室外側フランジ部に配置されるレンズ間に、少なくとも１枚のリング状の弾性シーリング材を介在させたことを特徴とする防犯レンズとした（請求項６に記載の発明）。
【発明の効果】
【００１０】
本発明の防犯レンズによれば、室外側フランジ部とこの室外側フランジ部に配置されるレンズ間、又は前記キャップと前記室外側フランジ部間に、少なくとも１枚のリング状のフィルムを介在させたことで、前記室外側フランジ部に配置されるレンズと室外側フランジ部の境界、レンズとレンズの境界又はレンズとキャップ間の境界がフィルムで埋り、防水性が高まる。
また墨と異なりフィルムであることから色落ちし難いものとなる。
このフィルムは、進入した光束が前記室外側フランジ部等で反射することを防ぐことができる色であれば何色でもよいが、黒色であれば入射光束を吸収し易く、意匠的にもドアにマッチした優れたものとなる。
さらにこのフィルムに耐水性が備われば、さらに防水性が高まる。
【００１１】
室外側フランジ部とこの室外側フランジ部に配置されるレンズ間又は前記キャップと前記室外側フランジ部間に、少なくとも１枚の弾性シーリング材を介在させた防犯レンズにおいては、そのシーリング材が前記キャップと前記室外側フランジ部間で圧着されることで、弾性変形の作用が発揮され、さらに防水性が高まる。
【発明を実施するための最良の形態】
【００１２】
本発明に係る防犯レンズの実施形態を図面に基づいて詳細に説明する。
図１は第１実施形態に係る防犯レンズの縦中央片面断面図、図２は同防犯レンズの分解斜視図である。図３は第２実施形態に係る防犯レンズの縦中央片面断面図、図４は同防犯レンズの分解斜視図である。
なお、これらの各図及び以下に説明する各図において、同一の構成は同一の符号を付して詳細な説明を省略する。
【００１３】
第１実施形態に係る防犯レンズＡは、ダブルドアのドア板３、４に形成された取付孔３０、４０を介して螺合される第１の筒状体（内筒１）及び第２の筒状体（外筒２）と、前記内筒１に配置されるレンズ１２０、１２１、１２２及び１２３（レンズ系）を備えると共に、前記内筒１の室外側に設けられた室外側フランジ部１０と、この室外側フランジ部１０に形成された凹部１２と、この凹部１２の略中央に形成され、且つ、前記レンズ１２０が臨まれる筒口１１と、この筒口１１に対応する孔５０が形成され、且つ、凹部１２に収容される黒フィルム５と、この黒フィルム５の室外側に、且つ、前記凹部１２に取付けられる前記広角レンズ１２３を前記室外側フランジ部１０間で欽締するキャップ１８を備えている。
符号「１５」はスリーブを、符号「１４」はスリーブと共にレンズ１２２を規制するストッパ片を、符号「１０Ａ」は室内側フランジ部（室内側端部）をそれぞれ示す。これらスリーブ１５、ストッパ片１４の構成は任意である。
【００１４】
前記黒フィルム５は、前記広角レンズ１２３の入射面１２３ａから出射面１２３ｂ側に進入した光束が前記室外側フランジ部１０の凹部１２等で反射することを防ぐもので、典型的には黒色に着色されているが、黒色に限定されるものではない。
また、前記黒フィルム５は、前記広角レンズ１２３の出射面１２３ｂと前記凹部１２間に浸入する雨水等の水分を防水するもので、光を効率的に吸収できる色であることのほかに、耐水性が備わったものであればなお良い。
【００１５】
この黒フィルム５は、ドーナッツ状の前記凹部１２を覆うように、その外縁５ａが前記凹部１２の内周縁１２ａに略一致して形成され、入射光束の筒口１１への進入路を妨げないように、前記孔５０が形成されリング状となっている。
このような黒フィルム５は、厚さ約０．１ｍｍ程度の塩化ビニル又はポリエチレン等のフィルムを型で打ち抜いて製造されるが、フィルム、即ち薄膜状のものであれば、その材質は問われることはない。
【００１６】
前記黒フィルム５を凹部１２に収容し、キャップ１８により広角レンズ１２３を前記凹部１２間で欽締することで、次のような作用効果を奏する。
第１に、従来のように広角レンズ１２３の出射面側の、前記凹部１２に接する部分の研磨及び艶消塗り（墨塗り）の手間を省くことができる。
第２に、前記黒フィルム５は雨水等の浸入により色褪せることがない。
第３に、前記黒フィルム５が広角レンズ１２３の出射面１２３ｂと凹部１２間で密着し水分の流路を遮断することにより、防水を図ることができる。そのためレンズ１２０等の曇りを防ぐことができる。
なお、前記室外側フランジ部１０とキャップ１８が接する部分、例えば螺着部分又は／及びキャップ１８とレンズ１２３が接する部分をシーリングして防水性を高めてもよい。
さらに、シーリング部分のシール剤に代えて接着剤を用いることで防水性を高めると共に、前記室外側フランジ部１０とキャップ１８の固着、またはキャップ１８とレンズ１２３の固着を強固にすることができる。
また前記黒フィルム５を前記広角レンズ１２３と前記凹部１２間の他に、もう一枚を前記広角レンズ１２３と前記キャップ１８間で配置することで防水性を高めてもよい。
【００１７】
次に図３及び図４に基き、第２実施形態に係る防犯レンズＢの構成例を説明する。
この防犯レンズＢは、前記防犯レンズＡに組込まれていた広角レンズ１２３を省いたもので、室外側フランジ部１０の凹部１２にレンズ１２０と１２１を配置している。このような防犯レンズＢにおいて、レンズ１２１の出射面１２１ｂ側と室外側フランジ部１０の凹部１２間に前記黒フィルム５を介在させている。
なお、前記黒フィルム５の配置位置は、前記レンズ１２０、１２１間でもよいし、キャップ１８と前記レンズ１２０間でもよく、またレンズ１２１の出射面１２１ｂ側と室外側フランジ部１０の凹部１２間に１枚、さらに前記レンズ１２０、１２１間に少なくとも１枚、或いは複数枚でもよい。
その他の構成は前記防犯レンズＡと略同一であるので、同一の作用効果を奏する。
【００１８】
なお、図５に示したように、前記キャップ１８を省略した防犯レンズＣのレンズ１２１の出射面１２１ｂ側と室外側フランジ部１０の凹部１２間に前記黒フィルム５を配置してもよい（第３実施形態）。
また、図６に示したように、一枚ドア用の防犯レンズＤのレンズ１２１の出射面１２１ｂと室外側フランジ部１０の凹部１２間に前記黒フィルム５を配置してもよい（第４実施形態）。
その他の構成は上記各実施形態に係る防犯レンズと略同一であるので、同一の作用効果を奏する。
【００１９】
次に図７及び図８に基き、第５実施形態に係る防犯レンズＥの構成例を説明する。
この実施形態では、前記黒フィルム５に代えて、弾性シーリング材５Ａを用いると共に、キャップ１８と広角レンズ１２３間にも弾性シーリング材５Ｂを配置した点に特徴がある。
【００２０】
前記弾性シーリング材５Ａとして、リング状のゴム５Ａが用いられており、このリング状ゴム５Ａは前記黒フィルム５と同様に、前記室外側フランジ部１０の凹部１２の内周縁１２ａに嵌込まれる外縁５ａと、前記筒口１１に対応する孔５０を備え、黒色に着色されている。
【００２１】
前記弾性シーリング材５Ｂとして、略Ｏリング状のゴム５Ｂが用いられており、このＯリング状ゴム５Ｂは、前記広角レンズ１２３の外縁１２３ａが当接する前記ギャップ１８の開口縁１８ａの裏面側に配置される。
【００２２】
前記ゴム５Ａ、５Ｂは、薄膜状の天然ゴム又は合成ゴムであるが、弾性を備えたシーリング材であれば、どのような材質でもよい。その他の構成は、前記黒フィルム５と略同様である。
【００２３】
前記ゴム５Ａ、５Ｂによれば、第１に従来のように広角レンズ１２３の出射面側の、前記凹部１２に接する部分の研磨及び艶消塗り（墨塗り）の手間を省くことができる、第２に雨水等の浸入により色褪せることがない、という効果を奏する。
また、第３に前記ゴム５Ｂは、その弾性変形の作用により前記広角レンズ１２３の外縁１２３ａと前記ギャップ１８の開口縁１８ａ間で圧着され、水密の機能が発揮され、雨水等の浸入が阻止される、という効果を奏する。
さらに、第４にゴム５Ａはその弾性変形の作用により、広角レンズ１２３の出射面１２３ｂと凹部１２間で圧着され、前記ゴム５Ｂと共に二重の水密の機能が発揮される。よって、前記凹部１２に浸入しようとする雨水等が阻止される、という効果を奏する。
【００２４】
このような防犯レンズＥの防水効果は、底面に孔を開けて、この孔に前記室外側フランジ部１０を臨ませて、この前記室外側フランジ部１０、キャップ１８、広角レンズ１２３を水没させる実験装置を用いた、略２４時間の防水実験によって実証された。
【００２５】
前記第２実施形態の防犯レンズＢにおいても、前記黒フィルム５を前記ゴム５Ａ、５Ｂに代えることで、上記のような作用効果を奏することができる。
また、前記第３又は第４実施形態の防犯レンズＣ、Ｄにおいても、前記黒フィルム５を前記ゴム５Ａに代えることで、上記のような作用効果を奏することができる。
【００２６】
上記各防犯レンズＡ〜Ｅについて、図９〜図１７に示したカバー装置を配置することができる。
図９及び図１０に示したカバー装置１Ａは、例えば一枚ドアの防犯レンズＤにおいて、室内側端部１０Ａの覗き窓１１Ａを覆うカバー１ａと、このカバー１ａを前記室内側端部１０Ａに取付けるための取付枠２ａからなるものである。
前記取付枠２ａは、前記室内側端部１０Ａの外周に圧着可能な圧着片２０ａと、この圧着片２０ａの圧着力を調整する調整部２１ａからなる。
そして前記カバー１ａは、前記調整部２１ａにネジ止めされる止着具３ａにより回転可能に支持されており、その下部には回転操作用の舌部１０ａが形成されている。
【００２７】
前記圧着片２０ａと調整部２１ａは、圧着片２０ａがウォームホイールに、調整部２１ａがウォームギアに相当するもので、調整部２１ａを構成するギア２１０ａを回転させることにより、前記室内側端部１０Ａに対する圧着力を調整できるようになっている。
【００２８】
前記カバー１ａは、前記止着具３ａにより左右方向に振分けられるようになっているが、前記止着具３ａに代えてヒンジ手段により、ドア３Ａに対して手前方向に開閉できるようにしても良い。
また、前記舌部１０ａの形状は、居住者が把持し易いように下方向に長めに形成してもよい。
【００２９】
前記防犯レンズＤに前記カバー装置１Ａを取付けるには、前記室内側端部１０Ａの径より若干大きめに調整した取付枠２ａを室内側端部１０Ａに跨がせて、調整部２１ａをドライバー等で締付ければよい。
このように取付けられたカバー装置１Ａは、通常、前記カバー１ａの自重により、前記防犯レンズの覗き窓１１Ａを覆っているので、室外側から室内の様子を窺うことはできない。
居住者が、防犯レンズから室外を覗き見る場合には、カバー１ａの舌部１０ａを左右何れかの方向に振り、覗き見た後は、前記舌部１０ａから手を放せば、カバー１ａがその自重により回転し、再びカバー１ａが前記覗き窓１１Ａを覆う。
【００３０】
以上のようなカバー装置１Ａによれば、防犯レンズＤの外筒２のサイズの長短に対応でき、また外筒２の直径の大小にも対応でき、しかも低コストで製造することができる。
【００３１】
上記カバー装置１Ａは、図１１及び図１２に示したように、所謂フラッシュドアと呼ばれている２枚板３、４の厚みのあるダブルドア用の前記防犯レンズＡ、Ｂ及びＥに取付けることもできる。
【００３２】
上記実施形態では、前記カバー装置１Ａの取付枠２ａは、前記室内側端部１０Ａの外周を圧着するようにしていたが、室内側端部１０Ａの内周１００ａを圧着するようにしてもよい。
【００３３】
次に、カバー装置１Ｂの構成例を説明する。
このカバー装置１Ｂは、図１３に示したようにカバー１ｂを前記室内側端部１０Ａに取付けるための取付枠２ｂは、前記室内側端部１０Ａの外周を圧着可能な圧着片として、例えば板バネ材から構成されており、その弾性材に支持部としての折曲部２０ｂを形成し、その折曲部２０ｂにカバー１ｂを回転可能に保持するピン３ｂが固定されている。
前記弾性材は外側方向Ｘにたわみ、内側方向−Ｘに復元力が作用するもので、前記防犯レンズの室内側端部１０Ａの外周を圧着できるようになっている。
前記折曲部２０ｂは、弾性材を略Ｕ字状に折曲げ加工し、そのＵ字状部２００ｂにピン３ｂをかしめたり、接着、溶着等して取付けて、そのピン３ｂにカバー１ｂを回転可能に取付たものである。
その他の構成は、前記実施形態と同一であって、同一の作用効果を奏する。
【００３４】
前記折曲部２０ｂの取付位置として、その折曲部２０ｂを前記室内側端部１０Ａの切欠凹部１００Ａに埋込むようにしても良い。この場合、折曲部２０ｂにも前記切欠凹部１００Ａに対応する切欠２１ｂを形成する。
より具体的には、防犯レンズの内筒１と外筒２を螺着させる場合に、図１３のように前記室内側端部１０Ａの切欠凹部１００Ａを略垂直方向に位置させて、防犯レンズＡを固定する。
そして、前記折曲部２０ｂの切欠２１ｂを前記室内側端部１０Ａの切欠凹部１００Ａに埋込むようにして取り付ける。
前記切欠凹部１００Ａは、本来、室内側から前記外筒２を前記内筒１に螺着させる場合に、ドライバーなどの冶具に使用される部位であるが、前記カバー装置２Ａの取付けに活用することで、前記カバー装置１Ｂの取付けが容易になる。
【００３５】
次に、カバー装置１Ｃの構成例を図１４に基いて説明する。
このカバー装置１Ｃは、図１３に示したカバー装置１Ｂと同様に、その取付枠２ｃの圧着片を弾性材から構成すると共に、その弾性材の折曲部２０ｃを上向きに形成している。
前記弾性材は外側方向Ｘに復元力が作用し、内側方向−Ｘにたわむもので、前記室内側端部１０Ａの内周１００ａを圧着できるようになっている。
前記折曲部２０ｃは前記折曲部２０ｂと同様に、弾性材を略Ｕ字状に折曲げ加工し、そのＵ字状部２００ｃにピンをかしめる等して固定し、そのピンにカバー１ｃを回転可能に取付たものである。
このカバー装置１Ｃにおいても、前記実施形態のカバー装置と同一の作用効果を奏する。
図１３と同様に、前記折曲部２０ｃの取付位置として、その切欠２１ｃを前記室内側端部１０Ａの切欠凹部１００Ａに埋込むように取付けても良い。
【００３６】
次に、カバー装置１Ｄの構成例を説明する。
このカバー装置１Ｄの特徴は、図１５に示したように取付枠２ｄの圧着片２０ｄとして、弾性材としてのゴム、プラスチック等の合成樹脂をリング状に成形し、カバー１ｄを回転可能に支持するネジ３ｄ自体を支持部としたものである。
このカバー装置１Ｄを前記室内側端部１０Ａに取付けるには、ネジ３ｄで圧着片２０ｄにカバー１ｄを螺着し、前記室内側端部１０Ａの径にあわせて、圧着片２０ｄを押し広げるように取付ければよい。圧着片２ｄを前記室内側端部１０Ａに取付ける際に接着剤を用いても良い。
また、カバー１ｄの舌部１０ｄにストラップ等の飾り紐を取付ける孔１１ｄを設けることで、飾り紐を把持することによるカバー１ｄの回転操作性の向上等を図ることができる。
その他の構成は、上記各カバー装置と同様であり、同一の作用効果を奏する。
【００３７】
次に、カバー装置１Ｅの構成例を説明する。
このカバー装置１Ｅは、図１６に示したようにその中心部を開口させた円盤状の取付枠２ｅと、該取付枠２ｅの開口２１ｅの縁から立ち上げられて円筒状に形成され、且つ、前記室内側端部１０Ａの内周１００ａに取付可能な圧着片２０ｅと、カバー１ｅを回転可能に支持する支持部としてのリベット、ネジ３ｅを備えている。
前記取付枠２ｅの直径は、前記室内側端部１０Ａの覗き窓１１Ａを覆うカバー１ｅの直径よりも、若干大きめに形成されている。
前記円筒状の圧着片２０ｅの外径は、前記室内側端部１０Ａの内周１００ａに密着して、その内周１００ａを圧着できるサイズに形成されている。
これらの取付枠２ｅと圧着片２０ｅは、プラスチック等の合成樹脂により一体成形されているが、その材料は合成樹脂に限定されるものではない。
【００３８】
このカバー装置１Ｅを前記室内側端部１０Ａに取付けるには、前記円筒状の圧着片２０ｅを前記室内側端部１０Ａの内周１００ａに向けて押込むか、螺着してもよい。
その他の構成は、上記各実施形態のカバー装置と同様であり、同一の作用効果を奏する。
【００３９】
図１７には、図１６に示した取付枠２ｅと圧着片２０ｅの変形例が示されており、その変形個所は、取付枠２ｅの同心円状に、室内側に凹んだ溝２２ｅを形成したところである。
この同心円状の溝２２ｅが前記室内側端部１０Ａに当接されることで、前記圧着片２０ｅに外側方向に力が作用し、前記圧着片２０ｅがより強く内周１００ａを圧着するようになる。よって、カバー装置１Ｅが前記室内側端部１０Ａから抜け難くなっている。
【００４０】
上記カバー装置１Ａ〜１Ｅでは、ウォームホイールの圧着片２０ａ、ウォームギアの調整部２１ａ、取付枠として弾性材等を採用したが、前記室内側端部１０Ａに対する圧着力を調整できるものであればどのようなものでもよい。
たとえば、合成樹脂のバンド状のものを取付枠としてもよい。
また、防犯レンズの内筒や外筒の材質は、どのようなものでもよく、アルミニウム等の金属の他、プラスチック等の合成樹脂でもよい。
さらに上記カバー装置１Ｅにおいて、取付枠２ｅと圧着片２０ｅを黒色に着色することで、光の反射を抑えることができ、覗き見易い防犯レンズにすることができる。
【図面の簡単な説明】
【００４１】
【図１】第１実施形態に係る防犯レンズの縦中央片面断面図、
【図２】同防犯レンズの分解斜視図、
【図３】第２実施形態に係る防犯レンズの縦中央片面断面図、
【図４】同防犯レンズの分解斜視図、
【図５】第３実施形態に係る防犯レンズの縦中央片面断面図、
【図６】第４実施形態に係る防犯レンズの縦中央片面断面図、
【図７】第５実施形態に係る防犯レンズの縦中央片面断面図、
【図８】同防犯レンズの分解斜視図、
【図９】カバー装置の分解斜視図及びこのカバー装置を取付ける防犯レンズの分解斜視図、
【図１０】カバー装置を防犯レンズに取付けた状態の取付側面図、
【図１１】カバー装置の分解斜視図及びこのカバー装置を取付ける別例の防犯レンズの斜視図、
【図１２】同取付側断面図、
【図１３】カバー装置の分解斜視図及び取付説明図、
【図１４】カバー装置の分解斜視図及び取付説明図、
【図１５】カバー装置の分解斜視図及び取付説明図、
【図１６】カバー装置の分解斜視図及び取付説明図、
【図１７】（Ａ）及び（Ｂ）  同カバー装置の変形例図及び同図のＡ‐Ａ断面図である。
【符号の説明】
【００４２】
１  内筒
１Ａ  １Ｂ  １Ｃ  １Ｄ  １Ｅ  カバー装置
１ａ  １ｂ  １ｃ  １ｄ  １ｅ  カバー
２  外筒
２ａ  ２ｂ  ２ｃ  ２ｄ  ２ｅ  取付枠
２０ａ  ２０ｄ  ２０ｅ  圧着片
２０ｂ  ２０ｃ  折曲部
２１ｅ  開口
２２ｅ  溝
２００ｂ  ２００ｃ  Ｕ字状部
２ａ  ３ｂ  ３ｃ  ３ｄ  ３ｅ  ピン
１０ａ  １０ｄ  １０ｅ  舌部
１０  室外側フランジ部
１０Ａ  室内側端部
１１  筒口
１２  凹部                            １２ａ  凹部の内周縁
１４  ストッパ片
１５  スリーブ
１８  キャップ
１００ａ  内周
３  室外側ドア板                      ３０  取付孔
４  室内側ドア板                      ４０  取付孔
５  黒フィルム                        ５ａ  黒フィルムの外縁
５Ａ  ゴム                            ５Ｂ  ゴム
５０  孔
【図１】
2006209071.tif 000003
【図２】
2006209071.tif 000004
【図３】
2006209071.tif 000005
【図４】
2006209071.tif 000006
【図５】
2006209071.tif 000007
【図６】
2006209071.tif 000008
【図７】
2006209071.tif 000009
【図８】
2006209071.tif 000010
【図９】
2006209071.tif 000011
【図１０】
2006209071.tif 000012
【図１１】
2006209071.tif 000013
【図１２】
2006209071.tif 000014
【図１３】
2006209071.tif 000015
【図１４】
2006209071.tif 000016
【図１５】
2006209071.tif 000017
【図１６】
2006209071.tif 000018
【図１７】
2006209071.tif 000019